(57)【要約】【課題】圧搾溝の閉塞を抑制しつつ、吸収速度を向上させることが可能な吸収性物品を提供する。【解決手段】吸収性物品１は、表面シート２と、第１の吸収層１１と第２の吸収層１２とを含む吸収体４と、を備え、表面シートと吸収体とが圧搾された圧搾溝５を有する。第１の吸収層は、吸収性ポリマーが存在する、中央の中央存在領域２１と、その外側の外側存在領域２２と、中央存在領域と外側存在領域との間に位置し、吸収性ポリマーが少ない非存在領域３１と、を含む。圧搾溝は、非存在領域３１内に位置し、中央存在領域及び外側存在領域と離間している。互いに向かい合う圧搾溝の端縁と中央存在領域の端縁との距離は、互いに向かい合う圧搾溝の端縁と外側存在領域の端縁との距離よりも短い。【選択図】図２
2018075136.tif 000002
【特許請求の範囲】
【請求項１】
長手方向、幅方向及び厚さ方向を有し、表面シートと、前記表面シートの非肌側に位置する吸収体と、を備え、前記吸収体は、第１の吸収層と、前記第１の吸収層の非肌側に積層された第２の吸収層と、を含み、前記長手方向に延設され前記幅方向に間隔を空けて並んだ、前記表面シートと前記第１の吸収層及び第２の吸収層とが圧搾された一対の圧搾溝を備える、吸収性物品であって、
前記第１の吸収層は、
前記幅方向の中央に位置し、吸収性ポリマーが存在する中央存在領域と、
前記中央存在領域の前記幅方向の両外側に位置し、吸収性ポリマーが存在する一対の外側存在領域と、
前記中央存在領域と前記一対の外側存在領域との間に位置し、吸収性ポリマーが存在しない一対の非存在領域と、を含み、
前記一対の圧搾溝の一方及び他方は、前記幅方向において、それぞれ前記一対の非存在領域の一方及び他方の内に位置し、前記中央存在領域及び前記一対の外側存在領域と離間しており、
前記幅方向において、互いに向かい合う前記圧搾溝の端縁と前記中央存在領域の端縁との距離は、互いに向かい合う前記圧搾溝の端縁と前記外側存在領域の端縁との距離よりも短い、
吸収性物品。
【請求項２】
前記第１の吸収層は、
前記第１の吸収層に含まれる吸収性ポリマーを包む液透過性シートを備え、
前記非存在領域において、前記液透過性シートの肌側の面と非肌側の面とが互いに接合された接合領域を有し、
前記接合領域は、平面視で、前記圧搾溝の前記幅方向の両側に拡がり、
前記幅方向において、前記接合領域における内側の端縁と前記圧搾溝における内側の端縁との距離は、前記接合領域における外側の端縁と前記圧搾溝における外側の端縁との距離よりも短い、
請求項１に記載の吸収性物品。
【請求項３】
前記第１の吸収層は、前記中央存在領域における前記長手方向の前方及び後方の外側に位置し、吸収性ポリマーが存在しない前方非存在領域及び後方非存在領域を含み、
前記幅方向に延設され前記長手方向に間隔を空けて並んだ、前記表面シートと前記第１の吸収層及び第２の吸収層とが圧搾された前方圧搾溝及び後方圧搾溝を備え、
前記前方圧搾溝及び前記後方圧搾溝は、それぞれ前記前方非存在領域及び前記後方非存在領域の内に位置し、前記中央存在領域及び前記一対の外側存在領域と離間しており、
前記長手方向において、互いに向かい合う前記前方圧搾溝の端縁と前記中央存在領域の端縁との距離は、互いに向かい合う前記前方圧搾溝の端縁と前記前方非存在領域の外側の端縁との距離よりも短く、互いに向かい合う前記後方圧搾溝の端縁と前記中央存在領域の端縁との距離は、互いに向かい合う前記後方圧搾溝の端縁と前記後方非存在領域の外側の端縁との距離よりも短い、
請求項１又は２に記載の吸収性物品。
【請求項４】
前記第１の吸収層は、
前記第１の吸収層に含まれる吸収性ポリマーを包む液透過性シートを備え、
前記前方非存在領域及び前記後方非存在領域において、それぞれ前記液透過性シートの肌側の面と非肌側の面とが互いに接合された前方接合領域及び後方接合領域を有し、
前記前方接合領域及び前記後方接合領域は、平面視で、前記前方圧搾溝及び前記後方圧搾溝の前記長手方向の両側に拡がり、
前記長手方向において、前記前方接合領域における内側の端縁と前記前方圧搾溝における内側の端縁との距離は、前記前方接合領域における外側の端縁と前記前方圧搾溝における外側の端縁との距離よりも短く、前記後方接合領域における内側の端縁と前記後方圧搾溝における内側の端縁との距離は、前記後方接合領域における外側の端縁と前記後方圧搾溝における外側の端縁との距離よりも短い、
請求項３に記載の吸収性物品。
【請求項５】
前記長手方向において、前記前方接合領域における内側の端縁と、当該端縁と対向する前記中央存在領域の端縁との距離は、前記前方接合領域における内側の端縁と前記前方圧搾溝における内側の端縁との距離よりも短く、前記後方接合領域における内側の端縁と、当該端縁と対向する前記中央存在領域の端縁との距離は、前記後方接合領域における内側の端縁と前記後方圧搾溝における内側の端縁との距離よりも短い、
請求項４に記載の吸収性物品。
【請求項６】
前記表面シートにおいて、前記中央存在領域に対応する領域の繊維密度は、前記一対の外側存在領域の各々に対応する領域の繊維密度よりも高い、
請求項１乃至５のいずれか一項に記載の吸収性物品。
【請求項７】
前記厚さ方向において、前記第２の吸収層の厚さをａとし、前記圧搾溝における前記第２の吸収層への侵入深さをｂとしたとき、前記ｂは、（ａ／２）＜ｂ＜ａ、を満たす、
請求項１乃至６のいずれか一項に記載の吸収性物品。
【請求項８】
前記第２の吸収層において、前記中央存在領域に対応する領域の厚みは、前記外側存在領域に対応する領域の厚みよりも厚い、
請求項１乃至７のいずれか一項に記載の吸収性物品。
【請求項９】
前記圧搾溝は、前記厚さ方向の深さが深い高圧搾部と、前記厚さ方向の深さが浅い低圧搾部と、を含み、前記高圧搾部と前記低圧搾部とが交互に並んで形成されている、
請求項１乃至８のいずれか一項に記載の吸収性物品。
【発明の詳細な説明】
【技術分野】
【０００１】
本発明は、吸収性物品に関する。
【背景技術】
【０００２】
軽失禁パッドのような吸収性物品は、着用者から排泄された尿や経血などの排泄物を吸収し、保持するために用いられる。吸収性物品には状況に依らずに排泄物を外部へ漏らさず素早く吸収することが要求されるため、吸収性能をより向上させる技術の開発が行われている。そのような技術として、例えば吸収体を二層にした吸収性物品が存在する。
【０００３】
吸収体を二層にした吸収性物品は、例えば特許文献１に開示されている。この吸収性物品は、液透過性の表面シートと、液不透過性の防漏シートと、表面シート及び防漏シートの間に配された液保持性の吸収体とを有する。吸収体は少なくとも二層で構成され、少なくとも一層は液透過性シートと高吸収性ポリマーとからなる第１の吸収体層である。第１の吸収体層は、表面シートと圧搾溝で接合される。第１の吸収体層は、平面視で、圧搾溝の両側に高吸収性ポリマーが散布される散布領域を有する。散布領域は、幅方向において、圧搾溝を挟んで、吸収体の中央の散布領域と、吸収体の側方の散布領域と、を含む。
【０００４】
ここで、圧搾溝に排泄物が排泄され、中央の散布領域の高吸収性ポリマー及び側方の散布領域の高吸収性ポリマーが圧搾溝の排泄物を吸収して膨張したとき、幅方向の両側から圧搾溝を押し潰す、すなわち圧搾溝を閉塞するおそれがある。そこで特許文献１では、第１の吸収体層における中央の散布領域と側方の散布領域との間に、高吸収性ポリマーが散布されていない非散布領域が設けられる。非散布領域は、圧搾溝で幅方向に等分に分割される。そのため第１の吸収体層は、圧搾溝で幅方向に分割された非散布領域のうち、圧搾溝と中央の散布領域との間の領域、及び、圧搾溝と側方の散布領域との間の領域に、概ね等しい大きさの吸収性ポリマーの実質的に存在しない領域である空隙を有することになる。その結果、高吸収性ポリマーが膨張しても、それら空隙が緩衝領域又は膨張代（しろ）となり、高吸収性ポリマーの膨張分を受容し、圧搾溝の閉塞という事態を防止できる。
【先行技術文献】
【特許文献】
【０００５】
【特許文献１】再公表ＷＯ２０１０／１０７０９６号公報
【発明の概要】
【発明が解決しようとする課題】
【０００６】
ところで、特許文献１の吸収性物品の散布領域の吸収性ポリマーは、圧搾溝の排泄物を吸収しようとするときには、その空隙を介して排泄物を吸収することになる。しかし、その場合、排泄物の吸収経路に存在するその空隙が吸収を抑制して、各散布領域の吸収性ポリマーによる排泄物の吸収速度が低下してしまう。吸収速度が低下すると、排泄物の量が多いときなど、排泄物が吸収されずに残存し易くなり、各散布領域が排泄物を吸収する前に、吸収性物品の外へ排泄物が漏れてしまうおそれがある。
【０００７】
そこで、本発明の目的は、吸収性ポリマーを有する第１の吸収層及び第２の吸収層を含む吸収体と、表面シートと第１の吸収層及び第２の吸収層とが圧搾された一対の圧搾溝と、を備える吸収性物品において、圧搾溝の閉塞を抑制しつつ、吸収速度を向上させることが可能な吸収性物品を提供することにある。
【課題を解決するための手段】
【０００８】
本発明の吸収性物品は次のとおりである。（１）長手方向、幅方向及び厚さ方向を有し、表面シートと、前記表面シートの非肌側に位置する吸収体と、を備え、前記吸収体は、第１の吸収層と、前記第１の吸収層の非肌側に積層された第２の吸収層と、を含み、前記長手方向に延設され前記幅方向に間隔を空けて並んだ、前記表面シートと前記第１の吸収層及び第２の吸収層とが圧搾された一対の圧搾溝を備える、吸収性物品であって、前記第１の吸収層は、前記幅方向の中央に位置し、吸収性ポリマーが存在する中央存在領域と、前記中央存在領域の前記幅方向の両外側に位置し、吸収性ポリマーが存在する一対の外側存在領域と、前記中央存在領域と前記一対の外側存在領域との間に位置し、吸収性ポリマーが存在しない一対の非存在領域と、を含み、前記一対の圧搾溝の一方及び他方は、前記幅方向において、それぞれ前記一対の非存在領域の一方及び他方の内に位置し、前記中央存在領域及び前記一対の外側存在領域と離間しており、前記幅方向において、互いに向かい合う前記圧搾溝の端縁と前記中央存在領域の端縁との距離は、互いに向かい合う前記圧搾溝の端縁と前記外側存在領域の端縁との距離よりも短い、吸収性物品。
【０００９】
本吸収性物品では、上記のように構成され、圧搾溝が、非存在領域内に位置し、中央存在領域及び外側存在領域と離間しており、かつ、幅方向において外側存在領域よりも中央存在領域の近くに位置している。そのため、圧搾溝で幅方向に分割された非存在領域のうち、中央存在領域側の領域では空隙（吸収性ポリマーの実質的に存在しない領域）が小さく、外側存在領域側の領域では空隙が大きくなる。
その結果、中央存在領域側の空隙が小さいため、排泄物のうち、圧搾溝に排泄された排泄物は中央存在領域の吸収性ポリマーに吸収され易くなる。したがって、排泄物は小さい空隙を介して中央存在領域の吸収性ポリマーに優先的に吸収され、したがって中央存在領域の吸収性ポリマーに多く吸収される。その結果、中央存在領域の吸収性ポリマーの体積が著しく膨張する。それにより、圧搾溝の中央存在領域側の壁面が厚み方向に急激に立ち上がって、急峻な壁面を形成する。そのため、中央存在領域の略中央部分の排尿点で排泄された排泄物は、中央存在領域から急峻な壁面を伝って圧搾溝内へ誘導され易くなり、圧搾溝内に蓄積され易くなる。その結果、圧搾溝の底部から非肌側の第２の吸収層へ排泄物を拡散させ吸収させ易くできる。
一方、圧搾溝内に排泄された排泄物は、大きい空隙を介するので外側存在領域の吸収性ポリマーに吸収され難くなる。そのとき、外側存在領域の吸収性ポリマーが排泄物をあまり吸収しないことで、その体積があまり膨張しない。それにより、圧搾溝内の外側存在領域側の壁面が厚み方向にあまり立ち上がらず、緩やかな壁面を形成する。そのため、圧搾溝内に蓄積される排泄物は、外側存在領域側の緩やかな壁面側に拡がりつつ蓄積され、すなわち圧搾溝内の幅方向の外側に拡がりつつ蓄積される。その結果、通常の圧搾溝内に蓄積される場合と比較して、圧搾溝の外側に多くの排泄物を蓄積できる。それにより、吸収性物品の表面シートと接する表面積を大きくでき、排泄物が拡散し難い圧搾溝の外側の領域を有効に利用して、排泄物を吸収することができる。それゆえ、表面シートを介して幅方向の第１の吸収層へ排泄物を吸収させ易くできる。
このように、圧搾溝を伝って厚さ方向に第２の吸収層へ排泄物を拡散させ易くするだけでなく、幅方向に第１の吸収層へ排泄物を拡散させ易くできるため、吸収性物品全体として吸収速度を向上でき、かつ表面のさらっと感を維持し易くすることができる。
【００１０】
本発明の吸収性物品は、（２）前記第１の吸収層は、前記第１の吸収層に含まれる吸収性ポリマーを包む液透過性シートを備え、前記非存在領域において、前記液透過性シートの肌側の面と非肌側の面とが互いに接合された接合領域を有し、前記接合領域は、平面視で、前記圧搾溝の前記幅方向の両側に拡がり、前記幅方向において、前記接合領域における内側の端縁と前記圧搾溝における内側の端縁との距離は、前記接合領域における外側の端縁と前記圧搾溝における外側の端縁との距離よりも短い、上記（１）に記載の吸収性物品、でもよい。
本吸収性物品では、上記構成を有することにより、幅方向において、吸収性ポリマーを液透過性シート内に保持し、閉じ込めることができる。吸収性ポリマーが排泄物を吸収し、膨潤したとき、液透過性シートが吸収性ポリマーの幅方向への膨潤を抑制して、圧搾溝が閉塞することを抑制できる。それにより圧搾溝を伝って厚さ方向に第２の吸収層へ排泄物を拡散させ、幅方向に第１の吸収層へ排泄物を拡散させ、吸収性物品全体として吸収速度を向上し、表面のさらっと感を維持し易くする効果をより確実に奏することができる。
【００１１】
本発明の吸収性物品は、（３）前記第１の吸収層は、前記中央存在領域における前記長手方向の前方及び後方の外側に位置し、吸収性ポリマーが存在しない前方非存在領域及び後方非存在領域を含み、前記幅方向に延設され前記長手方向に間隔を空けて並んだ、前記表面シートと前記第１の吸収層及び第２の吸収層とが圧搾された前方圧搾溝及び後方圧搾溝を備え、前記前方圧搾溝及び前記後方圧搾溝は、それぞれ前記前方非存在領域及び前記後方非存在領域の内に位置し、前記中央存在領域及び前記一対の外側存在領域と離間しており、前記長手方向において、互いに向かい合う前記前方圧搾溝の端縁と前記中央存在領域の端縁との距離は、互いに向かい合う前記前方圧搾溝の端縁と前記前方非存在領域の外側の端縁との距離よりも短く、互いに向かい合う前記後方圧搾溝の端縁と前記中央存在領域の端縁との距離は、互いに向かい合う前記後方圧搾溝の端縁と前記後方非存在領域の外側の端縁との距離よりも短い、上記（１）又は（２）に記載の吸収性物品、でもよい。
本吸収性物品では、上記構成を有することで、前方、後方圧搾溝が、それぞれ前方、後方非存在領域内に位置し、中央存在領域及び一対の外側存在領域と離間し、長手方向にて中央存在領域の近くに位置する。そのため前方、後方圧搾溝でそれぞれ長手方向に分割された前方、後方非存在領域のうち、中央存在領域側の領域では空隙が小さく、その反対側の領域では空隙が大きくなる。その結果、中央存在領域側の空隙が小さいため、前方、後方圧搾溝に排泄された排泄物は中央存在領域の吸収性ポリマーに優先的に吸収され、より多く吸収される。その結果、吸収性ポリマーの体積が著しく膨張して、それにより前方、後方圧搾溝の中央存在領域側の壁面が厚み方向に急激に立ち上がり、急峻な壁面を形成する。そのため中央存在領域の略中央部分の排尿点で排泄された排泄物は、中央存在領域から急峻な壁面を伝って前方、後方圧搾溝へ誘導され、前方、後方圧搾溝に蓄積され易くなる。その結果、前方、後方圧搾溝の底部から非肌側の第２の吸収層へ排泄物を拡散させ吸収させ易くできる。一方、前方、後方圧搾溝を挟んで中央存在領域と反対側の領域では、前方、後方圧搾溝の壁面が厚み方向にあまり立ち上がらず、緩やかな壁面を形成する。そのため前方、後方圧搾溝に蓄積される排泄物は、その緩やかな壁面側に拡がりつつ蓄積される。その結果、通常の圧搾溝に蓄積される場合と比較して、前方、後方圧搾溝の外側に多くの排泄物を蓄積できる。それにより吸収性物品の表面シートと接する表面積を大きくでき、排泄物が拡散し難い前方、後方圧搾溝の外側の領域を、排泄物の吸収に有効に利用できる。それゆえ表面シートを介して長手方向の第１の吸収層へ排泄物を吸収させ易くできる。このように前方、後方圧搾溝を伝って厚さ方向に第２の吸収層へ排泄物を拡散させ易くするだけでなく、長手方向に第１の吸収層へ排泄物を拡散させ易くできるため、吸収性物品全体として吸収速度を向上でき、かつ表面のさらっと感を維持し易くできる。
【００１２】
本発明の吸収性物品は、（４）前記第１の吸収層は、前記第１の吸収層に含まれる吸収性ポリマーを包む液透過性シートを備え、前記前方非存在領域及び前記後方非存在領域において、それぞれ前記液透過性シートの肌側の面と非肌側の面とが互いに接合された前方接合領域及び後方接合領域を有し、前記前方接合領域及び前記後方接合領域は、平面視で、前記前方圧搾溝及び前記後方圧搾溝の前記長手方向の両側に拡がり、前記長手方向において、前記前方接合領域における内側の端縁と前記前方圧搾溝における内側の端縁との距離は、前記前方接合領域における外側の端縁と前記前方圧搾溝における外側の端縁との距離よりも短く、前記後方接合領域における内側の端縁と前記後方圧搾溝における内側の端縁との距離は、前記後方接合領域における外側の端縁と前記後方圧搾溝における外側の端縁との距離よりも短い、上記（３）に記載の吸収性物品、でもよい。
本吸収性物品では、上記構成を有することで、長手方向にて吸収性ポリマーを液透過性シート内に保持し、閉じ込めることができる。吸収性ポリマーが排泄物を吸収し、膨潤したとき、液透過性シートが吸収性ポリマーの長手方向への膨潤を抑制し、前方、後方圧搾溝の閉塞を抑制できる。それにより前方、後方圧搾溝を伝って厚さ方向に第２の吸収層へ排泄物を拡散させ、幅方向に第１の吸収層へ排泄物を拡散させ、吸収性物品全体で吸収速度を向上し、表面のさらっと感を維持し易くする効果をより確実に奏することができる。
【００１３】
本発明の吸収性物品は、（５）前記長手方向において、前記前方接合領域における内側の端縁と、当該端縁と対向する前記中央存在領域の端縁との距離は、前記前方接合領域における内側の端縁と前記前方圧搾溝における内側の端縁との距離よりも短く、前記後方接合領域における内側の端縁と、当該端縁と対向する前記中央存在領域の端縁との距離は、前記後方接合領域における内側の端縁と前記後方圧搾溝における内側の端縁との距離よりも短い、上記（４）に記載の吸収性物品、であってもよい。
本吸収性物品では、上記構成を有することにより、第１の吸収層において、前方接合領域における内側の端縁と中央存在領域の端縁との間の距離が短いので、中央存在領域の吸収性ポリマーが長手方向に膨潤する領域を小さくできる。その結果、吸収性ポリマーをより厚さ方向の上方へ膨潤させることができ、前方圧搾溝の中央存在領域側の壁面をより急峻にすることができる。それゆえ、前方圧搾溝の外側の領域において、長手方向の外側の第２の吸収層の上方へ排泄物を拡散させて、長手方向Ｌの外側の第２の吸収層に排泄物を吸収させることができる。それにより、吸収性物品全体として吸収速度を向上し、表面のさらっと感を維持し易くする効果をより確実に奏することが可能となる。
【００１４】
本発明の吸収性物品は、（６）前記表面シートにおいて、前記中央存在領域に対応する領域の繊維密度は、前記一対の外側存在領域の各々に対応する領域の繊維密度よりも高い、上記（１）乃至（５）のいずれか一項に記載の吸収性物品、であってもよい。
本吸収性物品では、上記構成を有することにより、表面シートにおいて、繊維密度の高い中央存在領域に対応する領域に、排泄物を優先的に引き込ませ易くでき、中央存在領域の吸収性ポリマーにより多く吸収させることができる。したがって、中央存在領域の吸収性ポリマーを、外側存在領域の吸収性ポリマーよりも優先的に膨張させることができる。それにより、圧搾溝の中央存在領域側の壁面を急激に立ち上がらせて、圧搾溝に蓄積され易くでき、圧搾溝の底部から裏面シート側の第２の吸収層へ排泄物を拡散させ吸収させ易くできる。一方、繊維密度の低い外側存在領域に対応する領域に、排泄物を優先的に引き込ませないようにして、外側存在領域の吸収性ポリマーにあまり吸収させないようにできる。したがって、外側存在領域の吸収性ポリマーの膨らみを、中央存在領域の吸収性ポリマーよりも抑制することができる。それにより、圧搾溝の外側存在領域側の壁面を緩やかな傾斜にして、吸収性物品の表面シートと接する表面積を大きくして、幅方向の第１の吸収層へ排泄物を吸収させ易くできる。それらにより、吸収性物品全体として吸収速度を向上し、表面のさらっと感を維持し易くする効果をより確実に奏することが可能となる。
【００１５】
本発明の吸収性物品は、（７）前記厚さ方向において、前記第２の吸収層の厚さをａとし、前記圧搾溝における前記第２の吸収層への侵入深さをｂとしたとき、前記ｂは、（ａ／２）＜ｂ＜ａ、を満たす、上記（１）乃至（６）のいずれか一項に記載の吸収性物品、であってもよい。
本吸収性物品では、上記構成を有することにより、圧搾溝から第２の吸収層へ排泄物を引き込み易くでき、かつ、引き込んだ排泄物を第２の吸収層の面内方向へ拡散し易くすることができる。それにより、吸収性物品全体として吸収速度を向上し、表面のさらっと感を維持し易くする効果をより確実に奏することが可能となる。ｂの値が小さ過ぎると、第２の吸収層内での圧搾溝の壁面（側面）の面積が小さくなり、その壁面から第２の吸収層へ排泄物が拡散し難くなる。その結果、第２の吸収層へ排泄物を引き込む量や、引き込んだ排泄物が第２の吸収層の面内方向へ拡散する量が小さくなってしまう。更に、ｂの値が小さ過ぎると、吸収体４が全体として低強度になり、よじれ易くなってしまう。一方、ｂの値が大き過ぎると、圧搾溝５が実質的に第２の吸収層を突き抜けてしまう。その結果、圧搾溝の底部から第２の吸収層へ排泄物を拡散できず、第２の吸収層へ排泄物を引き込む量がすくなくなったり、吸収性物品の外に漏れたりするおそれがある。
【００１６】
本発明の吸収性物品は、（８）前記第２の吸収層において、前記中央存在領域に対応する領域の厚みは、前記外側存在領域に対応する領域の厚みよりも厚い、上記（１）乃至（７）のいずれか一項に記載の吸収性物品。
本吸収性物品では、上記構成を有することにより、第１の吸収層における非肌側の面を基準とした中央存在領域の高さ位置が外側存在領域の高さ位置よりも高くなる。それにより、排泄物が圧搾溝に排泄されたとき、中央存在領域が排泄物を多く吸収して圧搾溝の中央存在領域側の壁面が立ち上がるという効果をより高めることができる（より早期に急峻に立ち上がらせることができる）。加えて、外側存在領域が排泄物をあまり吸収せず、圧搾溝の外側存在領域側の壁面が緩やかな傾斜になるという効果をより高めることができる。それらにより、圧搾溝を伝って厚さ方向に第２の吸収層へ排泄物をより拡散させ易くでき、幅方向に第１の吸収層へ排泄物をより拡散させ易くでき、よって吸収性物品全体として吸収速度をより向上でき、かつ表面のさらっと感をより維持し易くすることができる。
【００１７】
本発明の吸収性物品は、（９）前記圧搾溝は、前記厚さ方向の深さが深い高圧搾部と、前記厚さ方向の深さが浅い低圧搾部と、を含み、前記高圧搾部と前記低圧搾部とが交互に並んで形成されている、上記（１）乃至（８）のいずれか一項に記載の吸収性物品、であってもよい。
本吸収性物品では、上記構成を有することにより、高圧搾部で第２吸収層の深い領域に排泄物を拡散させ、低圧搾部で第２の吸収層の浅い領域に排泄物を拡散させることができる。第２の吸収層の異なる深さの領域に概ね同時に排泄物を拡散できるので、第２の吸収層を深さ方向に効率的に使用することができる。それにより、圧搾溝内での排泄物の流通を良くし、圧搾溝を介した排泄物の吸収速度を向上できる。よって吸収性物品全体として吸収速度をより向上でき、かつ表面のさらっと感をより維持し易くすることができる。
【発明の効果】
【００１８】
本発明によれば、吸収性ポリマーを有する第１の吸収層と第２の吸収層とを含む吸収体と、表面シートと第１の吸収層及び第２の吸収層とが圧搾された一対の圧搾溝と、を備える吸収性物品において、圧搾溝の閉塞を抑制しつつ、吸収速度を向上させることが可能な吸収性物品を提供できる。
【図面の簡単な説明】
【００１９】
【図１】実施形態に係る吸収性物品の構成を示す平面図である。
【図２】図１のＩＩ−ＩＩ線に沿う断面図である。
【図３】第１の吸収層の構成を示す平面図である。
【図４】図３のＩＶ−ＩＶ線に沿う断面図である。
【図５】図３のＶ−Ｖ線に沿う断面図である。
【図６】図３の非存在領域及び非存在領域を示す模式図である。
【図７】実施形態に係る第２の吸収層の構成を示す平面図である。
【図８】図７のＶＩＩＩ−ＶＩＩＩ線に沿う断面図である。
【図９】吸収性物品の作用を説明する断面図である。
【図１０】圧搾溝の深さと第２の吸収層の厚さとの関係を説明する断面図である。
【図１１】圧搾溝の構成を模式的に示す平面図である。
【図１２】吸収速度の測定方法を説明する模式図である。
【発明を実施するための形態】
【００２０】
以下、実施形態に係る吸収性物品について軽失禁パッドを例に説明する。この場合、吸収性物品の吸収対象である排泄物は尿である。吸収性物品の種類及び用途は特に限定されるものではなく、本発明の範囲を逸脱しない限り、他の吸収性物品でもよい。その吸収性物品として、例えばパンティライナー、生理用ナプキン、使い捨ておむつが挙げられる。
【００２１】
図１〜図２は実施形態に係る吸収性物品１（軽失禁パッド）の構成を示す図であり、図１は展開した状態の吸収性物品１の平面図を示し、図２は図１のＩＩ−ＩＩ線に沿う断面図を示す。吸収性物品１は、互いに直交する長手方向Ｌ、幅方向Ｗ及び厚さ方向Ｔを有し、幅方向Ｗの中心を通り長手方向Ｌに延びる長手方向中心線ＣＬと、長手方向Ｌの中心を通り幅方向Ｗに延びる幅方向中心線ＣＷとを有する。吸収性物品１の長手方向Ｌ、幅方向Ｗ及び厚さ方向Ｔと、吸収性物品１の各資材の長手方向、幅方向及び厚さ方向とは一致するので、吸収性物品１及びその各資材に対して共通に長手方向Ｌ、幅方向Ｗ及び厚さ方向Ｔを用いる。長手方向Ｌの一方向及び他方向をそれぞれ前方及び後方とする。「平面視」とは展開した状態の吸収性物品１を上面側から厚さ方向Ｔに見ることをいう。「肌側」及び「非肌側」とは吸収性物品１の装着者による吸収性物品１の装着時、厚さ方向Ｔにて相対的に装着者の肌面に近い側及び遠い側をそれぞれ意味する。「面内方向」とは幅方向Ｗ及び長手方向Ｌを含む面と平行な方向である。長手方向中心線ＣＬに向かう方向及び遠ざかる方向をそれぞれ幅方向Ｗの内側及び外側の方向とする。幅方向中心線ＣＷに向かう方向及び遠ざかる方向をそれぞれ長手方向Ｌの内側及び外側の方向とする。これら定義も吸収性物品１の各資材に共通に用いる。
【００２２】
図１に示すように、吸収性物品１は、平面視にて、長手方向Ｌに延びる長辺と幅方向Ｗに延びる短辺を有する長方形の長手方向Ｌの両端縁が円弧状に膨らんだ形状を有している。ただし、本実施の形態において吸収性物品１の形状は、このような形状に限定されず、長手方向Ｌの長さ寸法が幅方向Ｗの幅寸法よりも長い長形状のものであれば、任意の縦長の形状（例示：長方形、楕円形、瓢箪形）とすることができる。
【００２３】
図２に示すように、吸収性物品１は、表面シート２と、裏面シート３と、表面シート２の非肌側、すなわち表面シート２と裏面シート３との間に位置する吸収体４と、を備える。表面シート２は、着用者の肌側に位置する液透過性シートである。表面シート２としては、例えば液透過性の不織布や織布、液透過孔を有する合成樹脂フィルム、これらの複合シート等、任意の液透過性シートが挙げられる。裏面シート３は、着用者の非肌側に位置する液不透過性のシートである。裏面シート３としては、例えば液不透過性の不織布や合成樹脂フィルム、不織布と合成樹脂フィルムとの複合シート、ＳＭＳ不織布等、任意の液不透過性シートが挙げられる。吸収体４は、液吸収性能及び液保持性能を有する層である。表面シート２の非肌側の面と吸収体４の肌側の面とは相互に接合され、吸収体４の非肌側の面と裏面シート３の肌側の面とは相互に接合される。表面シート２の非肌側の面の周縁部分と裏面シート３の肌側の面の周縁部分とは相互に接合される。
【００２４】
吸収体４は、第１の吸収層１１と、第１の吸収層の非肌側に積層された第２の吸収層１２と、を含む。第１の吸収層１１は、平面視で長手方向Ｌに長い略矩形の形状を有し、表面シート２と裏面シート３との間に位置する、液吸収性及び液保持性を有するシートである。第１の吸収層１１は、吸収性ポリマー１４、１５を含む吸収性材料１１ｂを２枚の液透過性シート１１ａ、１１ａ’で挟持した構成を有する。吸収性ポリマー１４、１５としては、水を吸収し保持できるポリマーであれば特に制限はなく、例えばデンプン系、アクリル酸系、アミノ酸系の粒子状又は繊維状の高吸収性ポリマー（ＳＡＰ）が挙げられる。吸収性材料１１ｂとしては、上記の吸収性ポリマー１４、１５を含めば特に制限はなく、吸収性ポリマー１４、１５のほか、例えばパルプのような吸水性繊維を含んでもよい。吸水性繊維の含有量は、吸収性ポリマー１４、１５の質量の０〜９０％の範囲内である。本実施の形態では、吸収性材料１１ｂは、例えば吸収性ポリマー１４、１５のみで構成される。液透過性シート１１ａ、１１ａ’としては、液透過性を有するシートであれば特に制限はなく、例えばエアスルー不織布、スパンボンド、積層不織布（例示：ＳＭＳ不織布）、ティッシュなどの親水性の不織布を適用できる。液透過性の観点から、液透過性シート１１ａ、１１ａ’はエアスルー不織布が好ましい。吸収性ポリマー１４、１５は、ホットメルト接着剤等（図示されず）で液透過性シート１１ａ、１１ａ’に固定されることが好ましいが、固定されずに液透過性シート１１ａ、１１ａ’で覆われて存在してもよい。吸収性ポリマー１４、１５の坪量としては例えば１００〜４００ｇ／ｍ２が挙げられる。
【００２５】
第２の吸収層１２は、平面視で長手方向Ｌに長い略矩形であって、長手方向Ｌの両端部が円弧状で、長手方向Ｌの中央部が幅方向Ｗにくびれた形状を有し、第１の吸収層１１と裏面シート３との間に位置する、液吸収性能及び液保持性能を有する層である。第２の吸収層１２は、吸収性ポリマー及び液保持性物質の混合物１６を含む吸収コア１２ｂを２枚の液透過性シート１２ａ、１２ａ’で挟持した構成を有する。吸収性ポリマーとしては、第１の吸収層１１の吸収性ポリマー１４、１５と同様である。液保持性物質としては、例えばパルプなどの吸水性繊維が挙げられる。吸収性ポリマーの含有量は、吸水性繊維の質量の０〜９０％の範囲内である。液透過性シート１２ａ、１２ａ’としては、第１の吸収層１１の液透過性シート１１ａ、１１ａ’ が挙げられる。混合物１６は、ホットメルトなどの接着剤（図示されず）で液透過性シート１２ａ、１２ａ’に固定されることが好ましいが、固定されずに液透過性シート１２ａ、１２ａ’で覆われて存在してもよい。吸収性ポリマーの坪量としては例えば０〜６００ｇ／ｍ２が挙げられ、吸水性繊維の坪量としては例えば１００〜７００ｇ／ｍ２が挙げられる。
【００２６】
吸収性物品１は、長手方向Ｌに延設され幅方向Ｗに所定間隔を空けて並んだ、表面シート２と第１の吸収層１１及び第２の吸収層１２とが圧搾された一対の圧搾溝５、５を備える。一対の圧搾溝５、５は、長手方向Ｌにおいて、第２の吸収層１２の両端部の近傍まで延設される。圧搾溝５は、厚さ方向Ｔにおいて、表面シート２から第１の吸収層１１を貫通し、第２の吸収層１２の内部へ延設されており、例えばエンボス加工により形成される。本実施の形態では、圧搾溝５の底部の下側部分（非肌側部分）には、圧搾によって周囲よりも繊維密度の高い高密度部５ｔが形成される。圧搾溝５の幅方向Ｗの内側の端縁Ｅ０１及び外側の端縁Ｅ０２は、高密度部５ｔの幅方向Ｗの内側の端縁及び外側の端縁とする。なお圧搾溝５は、厚さ方向Ｔに表面シート２の表面から裏面シート３の肌側の表面近くまで達してもよい。圧搾溝５の幅は１〜５ｍｍが好ましく、２〜３ｍｍがより好ましい。本実施の形態では、一対の圧搾溝５、５のパターンは、例えば一対の圧搾溝５、５間の距離が、長手方向Ｌの中央付近において小さく（狭く）、長手方向Ｌの両外側に向かうに連れて大きくなり（拡がり）、第２の吸収層１２の両端部に近づくに連れて再び小さく（狭く）なるように形成される。このパターンは一対の圧搾溝５、５を伝って長手方向Ｌに移動する排泄物を幅方向Ｗ及び長手方向Ｌの両方に拡散させ易くできる。
【００２７】
本実施の形態では、吸収性物品１は、幅方向Ｗに延設され長手方向Ｌに所定間隔を空けて並んだ、前方側の前方圧搾溝６と、後方側の後方圧搾溝６’とを更に備える。前方圧搾溝６及び後方圧搾溝６’は、厚さ方向Ｔにおいて、表面シート２と第１の吸収層１１及び第２の吸収層１２とが圧搾されることにより（例示：エンボス加工）形成されており、表面シート２から第１の吸収層１１を貫通し、第２の吸収層１２の内部へ延設されている。本実施の形態では、前方圧搾溝６及び後方圧搾溝６’の底部の下側部分（非肌側部分）には、圧搾によって周囲よりも繊維密度の高い高密度部６ｔが形成される。前方圧搾溝６及び後方圧搾溝６’の長手方向Ｌの内側の端縁及び外側の端縁は、高密度部６ｔの長手方向Ｌの内側の端縁及び外側の端縁とする。前方圧搾溝６及び後方圧搾溝６’は、厚さ方向Ｔに表面シート２の表面から裏面シート３の肌側の表面近くまで達してもよい。前方圧搾溝６及び後方圧搾溝６’の幅は１〜５ｍｍが好ましく、２〜３ｍｍがより好ましい。本実施の形態では、前方圧搾溝６及び後方圧搾溝６’は、一対の圧搾溝５、５の長手方向Ｌの両端部の近傍において、外側に凸な円弧状で、一対の圧搾溝５、５間に配置されている。
【００２８】
本実施の形態では、一対の圧搾溝５、５及び前方圧搾溝６及び後方圧搾溝６’で囲まれた領域では、各圧搾溝を形成するときの圧搾加工（エンボス加工）により表面シート２が周囲から引っ張られて厚さが薄くなっている。そのため、圧搾溝に囲まれた領域では、圧搾溝の外側の領域と比較して、表面シート２の繊維密度が高くなっている。したがって、圧搾溝に囲まれた領域の表面シート２は、吸収性が高く、排泄物を第１の吸収層１１へ引き込み易い。
【００２９】
図２に示すように、本実施の形態では、吸収性物品１は、更に、一対のサイドギャザーシート７、７と、線状弾性部材８、８と、外装シート９と、固定部１０、…、１０と、を備えている。一対のサイドギャザーシート７、７は、表面シート２における幅方向Ｗの両側の表面を覆うように配置され、長手方向Ｌに延びる防漏壁である。一対のサイドギャザーシート７、７は、表面シート２の幅方向Ｗの両側の表面において立設可能に折り畳まれ、幅方向Ｗの内側の端縁がギャザー部を形成するように自由端とされている。線状弾性部材８、８は、一対のサイドギャザーシート７、７の自由端の近傍に、長手方向Ｌに沿って延びる線状の弾性体である。線状弾性部材８、８は、例えば一対のサイドギャザーシート７、７のそれぞれに例えば１本ずつ配置され、一対のサイドギャザーシート７、７の端縁を収縮させる。外装シート９は、裏面シート３の非肌面側の表面に接合され、その周縁部分において一対のサイドギャザーシート７、７と相互に接合されている。固定部１０、…、１０は、外装シート９における裏面シート３と反対側に、長手方向Ｌに沿って貼り付けられた細長い矩形状の粘着テープである。本実施の形態では、幅方向Ｗに並んだ６本の固定部１０、…、１０が設けられている。固定部１０、…、１０は、吸収性物品１の個包装時にはセパレータを介して吸収性物品１を包装シート（図示されず）に固定し、吸収性物品１の使用時には吸収性物品１を着用者の下着などに再固定する。
【００３０】
次に、図２及び図３〜図６を参照して、第１の吸収層１１について更に説明する。図３は第１の吸収層１１の平面図であり、図４は図３の第１の吸収層１１のＩＶ−ＩＶ断面図であり、図５は図３の第１の吸収層１１のＶ−Ｖ断面図であり、図６は図３の第１の吸収層１１の存在領域と非存在領域とを模式的に示す平面図である。なお、図３〜図５には、圧搾溝５、前方圧搾溝６及び後方圧搾溝６’の少なくとも一つを仮想的に記載している。
【００３１】
図３〜図５に示すように、第１の吸収層１１では、肌側の液透過性シート１１ａと非肌側の液透過性シート１１ａ’との間に形成される空間が、いくつかの接合領域により、平面視で複数の領域に区画される。接合領域は、液透過性シート１１ａの一部分とそれに対向する液透過性シート１１ａ’の一部分とを厚さ方向Ｔに圧搾すること（例示：エンボス加工）又は接着剤（例示：ホットメルト接着剤）を介して押圧することで形成される。
【００３２】
本実施の形態では、第１の吸収層１１は、一対の接合領域１１ｔ１、１１ｔ１により幅方向Ｗに三つの領域に区画されており、それら三つの領域は、長手方向Ｌの前方及び後方を前方接合領域１１ｔ２及び後方接合領域１１ｔ２’により封止されている。三つの領域とは、中央配置領域１１ｓ１、及びその幅方向Ｗの両外側に位置する一対の外側配置領域１１ｓ２、１１ｓ２である。ただし、一対の接合領域１１ｔ１、１１ｔ１は、長手方向Ｌに延設され、長手方向中心線ＣＬを挟んで幅方向Ｗの両側に所定間隔で並んだ帯状の領域である。一対の接合領域１１ｔ１、１１ｔ１のパターンは、例えば両者の間隔が、長手方向Ｌの中央付近において狭く、長手方向Ｌの両外側に向かうに連れて拡がるように形成されたパターンであり、一対の圧搾溝５のパターンに沿うように形成される。前方接合領域１１ｔ２及び後方接合領域１１ｔ２’は、幅方向Ｗに延設され、幅方向中心線ＣＷを挟んで長手方向Ｌの両側に所定間隔で並んだ帯状の領域である。
【００３３】
したがって、本実施の形態では、液透過性シート１１ａ、１１ａ’と、一対の接合領域１１ｔ１、１１ｔ１と、前方接合領域１１ｔ２及び後方接合領域１１ｔ２’とにより、中央配置領域１１ｓ１が形成される。中央配置領域１１ｓ１は、長手方向Ｌに長い略砂時計型の形状を有する。液透過性シート１１ａ、１１ａ’と、各接合領域１１ｔ１と、前方接合領域１１ｔ２及び後方接合領域１１ｔ２’とにより、各外側配置領域１１ｓ２が形成される。各外側配置領域１１ｓ２は、内側の一辺が長手方向中心線ＣＬに対して凸曲線の、長手方向Ｌに長い略矩形の形状を有する。本実施の形態では、接合領域１１ｔ１は、圧搾によって周囲よりも繊維密度の高い高密度部である。よって、接合領域１１ｔ１の幅方向Ｗの内側の端縁Ｅ２１及び外側の端縁Ｅ２２は、高密度部の幅方向Ｗの内側の端縁及び外側の端縁である。同様に、前方接合領域１１ｔ２及び後方接合領域１１ｔ２’は、圧搾によって周囲よりも繊維密度の高い高密度部である。よって前方接合領域１１ｔ２及び後方接合領域１１ｔ２’の長手方向Ｌの内側の端縁及び外側の端縁は、高密度部の長手方向の内側の端縁及び外側の端縁である。なお、一対の接合領域１１ｔ１、１１ｔ１及び前方接合領域１１ｔ２及び後方接合領域１１ｔ２’の形状、すなわち中央配置領域１１ｓ１、及び一対の外側配置領域１１ｓ２、１１ｓ２の形状は任意である。
【００３４】
中央配置領域１１ｓ１は、吸収性ポリマー１４を含み、吸収性ポリマー１４の存在する領域、すなわち中央存在領域２１の周囲に、吸収性ポリマー１４が存在しない空隙Ｇ１１を有する。外側配置領域１１ｓ２は、吸収性ポリマー１５を含み、吸収性ポリマー１５の存在する領域、すなわち外側存在領域２２における幅方向Ｗの外側を除く周囲に、吸収性ポリマー１５が存在しない空隙Ｇ１２を有する。本実施の形態では、各空隙は、面内方向において、それぞれ概ね一定の幅の帯状に形成される。その幅は、例えば０．５〜６ｍｍが好ましく、１〜４ｍｍがより好ましい。幅が小さ過ぎると吸収性ポリマーが接合領域に噛む量が無視できなくなり、幅が大き過ぎると吸収性ポリマーを十分に搭載できない。
【００３５】
空隙Ｇ１１と中央存在領域２１との境界、及び、空隙Ｇ１２と外側存在領域２２との境界は、吸収性ポリマーの多寡で設定される。すなわち、吸収性ポリマー１４、１５の坪量の最高値をＭｘとすると、吸収性ポリマー１４、１５の坪量が１／ｎ（ただし、ｎは正の実数、例示：ｎ＝３）となる箇所を境界とする。例えば、吸収性ポリマー１４の坪量の最高値をＭｘ２１とすると、空隙Ｇ１１と中央存在領域２１との境界は、中央存在領域２１の周縁において吸収性ポリマー１４の坪量がＭｘ２１／ｎとなる箇所を境界とする。この境界は、中央存在領域２１の端縁であり、空隙Ｇ１１の端縁でもある。同様に、吸収性ポリマー１５の坪量の最高値をＭｘ２２とすると、空隙Ｇ１２と外側存在領域２２は、外側存在領域２２の周縁において吸収性ポリマー１５の坪量がＭｘ２２／ｎとなる箇所を境界とする。この境界は、外側存在領域２２の端縁であり、空隙Ｇ１２の端縁でもある。
【００３６】
第１の吸収層１１は、中央存在領域２１及び空隙Ｇ１１を含む中央配置領域１１ｓ１と、外側存在領域２２及び空隙Ｇ１２を含む一対の外側配置領域１１ｓ２、１１ｓ２とを備える。ここで、第１の吸収層１１に対する見方を変えると、第１の吸収層１１は、吸収性ポリマーが存在する存在領域ＰＥＡと、吸収性ポリマーが存在しない非存在領域ＮＰＡと、を備える。本実施の形態では、図６に示すように、第１の吸収層１１は、存在領域ＰＥＡとしての吸収性ポリマー１４を含む中央存在領域２１及び吸収性ポリマー１５を含む一対の外側存在領域２２、２２と、非存在領域ＮＰＡとしての吸収性ポリマーを含まない一対の非存在領域３１、３１、前方非存在領域３２及び後方非存在領域３２’とを含む。一対の非存在領域３１、３１の一方及び他方は、それぞれ中央存在領域２１と一対の外側存在領域２２、２２の一方及び他方との間に位置する。前方非存在領域３２及び後方非存在領域３２’は、それぞれ中央存在領域２１の長手方向Ｌの前方及び後方の外側の領域に位置する。一対の非存在領域３１、３１及び前方非存在領域３２及び後方非存在領域３２’では、いずれも吸収性ポリマーは存在しない。ただし、吸収性ポリマーが「存在しない」及び「非存在」とは、吸収性ポリマーが全く存在しない場合だけではなく、吸収性ポリマーが「存在する」領域での吸収性ポリマーの最大坪量と比べ、その０〜５％程度の坪量の吸収性ポリマーを含み得るものとする（本明細書全体において同じ）。
【００３７】
第１の吸収層１１において、中央存在領域２１の大きさの一例としては、幅方向Ｗでは第１の吸収層１１を幅方向Ｗに略三等分したときの中央の一個分の大きさであり、長手方向Ｌでは、第１の吸収層１１を長手方向Ｌに略八等分したときの中央の六個分の大きさである。中央存在領域２１には、吸収性ポリマー１４が概ね均一の坪量で分布していることが好ましい。中央存在領域２１は、例えば中央配置領域１１ｓ１よりも空隙Ｇ１１分だけ一回り小さい略相似な形状を有する。各外側存在領域２２の大きさの一例としては、幅方向Ｗでは、第１の吸収層１１を幅方向Ｗに略三等分したときの両側のそれぞれ一個分の大きさであり、長手方向Ｌでは、第１の吸収層１１を長手方向Ｌに略八等分したときの中央の六個分の大きさである。各外側存在領域２２には、それぞれ吸収性ポリマー１５が概ね一定の坪量で分布していることが好ましい。各外側存在領域は、例えば各外側配置領域１１ｓ２よりも空隙Ｇ１２分だけ一回り小さい略相似な形状を有する。幅方向Ｗにおいて、中央存在領域２１の幅と各外側存在領域２２の幅との比は、１．２〜２：１である。ここで、中央存在領域２１と非存在領域３１との境界は、吸収性ポリマー１４の存在する領域と空隙Ｇ１１との境界と同じである。この境界は、中央存在領域２１の端縁Ｅ１１であり、非存在領域３１の端縁でもある。また、外側存在領域２２と非存在領域３１との境界は、吸収性ポリマー１５の存在する領域と空隙Ｇ１２との境界と同じである。この境界は、外側存在領域２２の端縁Ｅ１２であり、非存在領域３１の端縁でもある。
【００３８】
空隙Ｇ０１、Ｇ０２は、それぞれ第１の吸収層１１の液透過性シート１１ａ、１１ａ’と圧搾溝５の内側及び外側の壁面（表面シート２）とで囲まれた空間である。空隙Ｇ０４、Ｇ０５は、それぞれ第１の吸収層１１の液透過性シート１１ａ（接合領域１１ｔ１を含む）と圧搾溝６（又は６’）の内側及び外側の壁面（表面シート２）とで囲まれた空間である。空隙Ｇ０３は、表面シート２と接合領域１１ｔ１とで囲まれた空間である。
【００３９】
次に、図２及び図７〜図８を参照して、第２の吸収層１２について更に説明する。ただし、図７は第２の吸収層１２の平面図であり、図８は図７の第２の吸収層１２のＶＩＩＩ−ＶＩＩＩ断面図である。なお、図７には、圧搾溝５、前方圧搾溝６及び後方圧搾溝６’の平面視での位置を仮想的に記載している。
【００４０】
図７〜図８に示すように、第２の吸収層１２では、肌側の液透過性シート１２ａと非肌側の液透過性シート１２ａ’との間に形成される空間が、吸収性ポリマー及び液保持性物質の混合物１６で満たされている。第２の吸収層１２は、幅方向Ｗ及び長手方向Ｌの中央における角の丸い略矩形の形状を有する厚肉領域１２Ｔと、厚肉領域１２Ｔの周囲を取り囲む略環状の形状を有する中肉領域１２Ｓと、中肉領域１２Ｓの周囲を取り囲む略環状で第２の吸収層１２の外形を有する薄肉領域１２Ｒと、を有する。厚肉領域１２Ｔの厚さ方向Ｔの厚さは最も厚く、薄肉領域１２Ｒの厚さ方向Ｔの厚さは最も薄く、中肉領域１２Ｓの厚さ方向Ｔの厚さは薄肉領域１２Ｒから厚肉領域１２Ｔへ向かって徐々に厚くなる。したがって、第２の吸収層１２は、中高（例示：中央部の嵩が高い）な構造を有する。本実施の形態では、幅方向Ｗにおいて、平面視で、概ね、厚肉領域１２Ｔは中央存在領域２１に対応する領域であり、薄肉領域１２Ｒは外側存在領域２２に対応する領域であり、中肉領域１２Ｓは非存在領域３１に対応する領域である。
【００４１】
一対の圧搾溝５の一方及び他方は、幅方向Ｗにおいて、それぞれ一対の非存在領域３１の一方及び他方の内に位置しており、中央存在領域２１及び一対の外側存在領域２２と離間している。したがって、幅方向Ｗにおいて、圧搾溝５の内側の端縁Ｅ０１と外側の端縁Ｅ０２とは、中央存在領域２１の端縁Ｅ１１と外側存在領域２２の端縁Ｅ１２との間に存在している。好ましくは、一対の圧搾溝５の一方及び他方は、幅方向Ｗにおいて、それぞれ一対の接合領域１１ｔ１、１１ｔ１の内に位置している。したがって、好ましくは、幅方向Ｗにおいて、圧搾溝５の内側の端縁Ｅ０１と外側の端縁Ｅ０２とは、接合領域１１ｔ１の内側の端縁Ｅ２１と外側の端縁Ｅ２２との間に存在している。
【００４２】
本実施の形態では、図２〜図４に示すように、圧搾溝５は、非存在領域３１における中央存在領域２１に近く、外側存在領域２２から遠くに位置する。幅方向Ｗにおいて、互いに向かい合う圧搾溝５の端縁Ｅ０１と中央存在領域２１の端縁Ｅ１１との距離ｄ１１は、互いに向かい合う圧搾溝５の端縁Ｅ０２と外側存在領域２２の端縁Ｅ１２との距離ｄ１２よりも短い（ｄ１１＜ｄ１２）。これら幅方向Ｗの距離は、例えば幅方向中心線ＣＷ上で計測される。圧搾溝５が中央存在領域２１に近く、外側存在領域２２から遠くに位置すると、中央存在領域２１の吸収性ポリマー１４が外側存在領域２２の吸収性ポリマー１５よりも優先的に圧搾溝５内の排泄物を吸収でき好ましい。その詳細は以下に説明される。
【００４３】
図９は吸収性物品１の作用を説明する断面図である。この図では、第１の吸収層１１を含む圧搾溝５付近の領域を示している。図９（ａ）は排泄物Ｓ０が排泄される前の状態を示し、図９（ｂ）は排泄物Ｓ０が排泄されたときの状態を示している。ただし、ここでは、第２の吸収層１２の厚さ方向Ｔの厚みは一定とする。
【００４４】
図９（ａ）に示すように、吸収性物品１では、圧搾溝５が、非存在領域３１内に位置し、中央存在領域２１及び外側存在領域２２と離間しており、かつ、幅方向Ｗにおいて外側存在領域２２よりも中央存在領域２１の近くに位置している（ｄ１１＜ｄ１２）。そのため、圧搾溝５で幅方向Ｗに分割された非存在領域３１のうち、中央存在領域２１側の領域では吸収性ポリマーのない領域である空隙（Ｇ０１＋Ｇ１１）が小さく、外側存在領域２２側の領域では吸収性ポリマーの存在しない領域である空隙（Ｇ０２＋Ｇ１２）が大きくなる。このとき、第１の吸収層１１における中央存在領域２１の厚さＴ０１と、外側存在領域２２の厚さＴ０２とは概ね同じである。
このように中央存在領域２１側の空隙（Ｇ０１＋Ｇ１１）が小さいため、図９（ｂ）に示すように、排泄物Ｓ０のうち、圧搾溝５に排泄された排泄物Ｓ１は中央存在領域２１の吸収性ポリマー１４に吸収され易くなる。したがって、排泄物Ｓ２は小さい空隙（Ｇ０１＋Ｇ１１）を介して中央存在領域２１の吸収性ポリマー１４に優先的に吸収され、したがって中央存在領域２１の吸収性ポリマー１４に多く吸収される。その結果、中央存在領域２１の吸収性ポリマー１４の体積が著しく膨張する。それにより、圧搾溝５の中央存在領域２１側の壁面５Ｗ１が厚み方向Ｔに急激に立ち上がって、急峻な壁面５Ｗ１を形成する。そのとき、第１の吸収層１１における中央存在領域２１の厚さＴ１１は、外側存在領域２２の厚さＴ１２よりも大きくなる（Ｔ１１＞Ｔ１２）。そのため、中央存在領域２１の略中央部分の排尿点で排泄された排泄物Ｓ０は、中央存在領域２１から急峻な壁面５Ｗ１を伝って圧搾溝５内へ誘導され易くなり、圧搾溝５内に蓄積され易くなる（Ｓ１）。その結果、圧搾溝５の底部（高密度部５ｔ）から非肌側の第２の吸収層１２へ排泄物Ｓ４を拡散させ吸収させ易くできる。
一方、圧搾溝５内に排泄された排泄物Ｓ１は、大きい空隙（Ｇ０２＋Ｇ１２）を介するので外側存在領域２２の吸収性ポリマー１５に吸収され難くなる。そのとき、外側存在領域２２の吸収性ポリマー１５が排泄物Ｓ１をあまり吸収しないことで、その体積があまり膨張しない。それにより、圧搾溝５内の外側存在領域２２側の壁面５Ｗ２が厚み方向Ｔにあまり立ち上がらず、緩やかな壁面５Ｗ２を形成する。そのため、圧搾溝５内に蓄積される排泄物Ｓ１は、外側存在領域２２側の緩やかな壁面５Ｗ２側に拡がりつつ蓄積され、すなわち圧搾溝５内の幅方向Ｗの外側に拡がりつつ蓄積される。その結果、通常の圧搾溝に蓄積される場合と比べ、圧搾溝５の外側に多くの排泄物Ｓ１を蓄積できる。それにより、吸収性物品１の表面シート２と接する表面積を大きくでき、排泄物Ｓ１が拡散し難い圧搾溝５の外側の領域を有効に利用して、排泄物Ｓ３を吸収することができる。それゆえ、表面シート２を介して幅方向Ｗの第１の吸収層１１へ排泄物Ｓ３を吸収させ易くできる。
このように、圧搾溝５を伝って厚さ方向Ｔに第２の吸収層１２へ排泄物Ｓ４を拡散させ易くするだけでなく、幅方向Ｗに第１の吸収層１１へ排泄物Ｓ３を拡散させ易くできるため、吸収性物品１全体として吸収速度を向上でき（例えば、現行品の２倍以上）、かつ表面シート２の表面のさらっと感を維持し易くすることができる。
【００４５】
距離ｄ１１としては、１ｍｍ〜１０ｍｍが好ましく、１．５ｍｍ〜３ｍｍがより好ましい。距離ｄ１１が１ｍｍ以上なのは、中央存在領域２１の吸収性ポリマー１４が排泄物を吸収して膨張したとき、圧搾溝５を閉塞することを防止するためである。距離ｄ１１が１０ｍｍ以下なのは、外側存在領域２２の吸収性ポリマー１５よりも中央存在領域２１の吸収性ポリマー１４に優先的に排泄物を吸収させ、中央存在領域２１側の側壁をより急峻に立ち上がらせるためである（距離が大き過ぎると、中央存在領域２１側の側壁が急峻に立ち上がり難い）。一方、距離ｄ１２としては、ｄ１２＞ｄ１１の条件下で、２ｍｍ〜１５ｍｍが好ましく、２ｍｍ〜５ｍｍがより好ましい。距離ｄ１２が２ｍｍ以上なのは、外側存在領域２２の吸収性ポリマー１５よりも中央存在領域２１の吸収性ポリマー１４に優先的に排泄物を吸収させつつ、外側存在領域２２の吸収性ポリマー１５が排泄物を吸収し膨張して、圧搾溝５を閉塞することを防止するためである。距離ｄ１２が１５ｍｍ以下なのは、外側存在領域２２の吸収性ポリマー１５で排泄物を確実に吸収させるためである。本実施の形態では例えば距離ｄ１１を１．５ｍｍとし、距離ｄ１２を２．５ｍｍとしする。
【００４６】
本実施の形態における好ましい形態として、平面視で、接合領域１１ｔ１は圧搾溝５の幅方向Ｗの両側に拡がり、圧搾溝５は接合領域１１ｔ１における中央存在領域２１に近く、外側存在領域２２から遠くに位置する。すなわち、幅方向Ｗにおいて、接合領域１１ｔ１における内側の端縁Ｅ２１と圧搾溝５における内側の端縁Ｅ０１との距離ｄ２１は、接合領域１１ｔ１における外側の端縁Ｅ２２と圧搾溝５における外側の端縁Ｅ０２との距離ｄ２２よりも短い（ｄ２１＜ｄ２２）。上記構成を有する吸収性物品１は、幅方向Ｗにおいて、吸収性ポリマー１４、１５を液透過性シート１１ａ、１１ａ’内に保持し、閉じ込めることができる。そして、吸収性ポリマー１４、１５が排泄物を吸収し、膨潤したとき、液透過性シート１１ａ、１１ａ’が吸収性ポリマー１４、１５の幅方向Ｗへの膨潤を抑制して、圧搾溝５が閉塞することを抑制できる。
【００４７】
本実施の形態では、前方圧搾溝６は、長手方向Ｌにおいて、前方非存在領域３２の内に位置しており、中央存在領域２１及び一対の外側存在領域２２と離間している。そして、長手方向Ｌにおいて、前方圧搾溝６の内側の端縁Ｅ０３と外側の端縁Ｅ０４とは、中央存在領域２１の端縁Ｅ３１と第１の吸収層１１の長手方向Ｌの端縁（前方非存在領域３２の外側の端縁Ｅ４２）との間に存在している。そして、本実施の形態における好ましい形態として、前方圧搾溝６は、前方非存在領域３２における中央存在領域２１に寄りに位置している。すなわち、長手方向Ｌにおいて、互いに向かい合う前方圧搾溝６の端縁Ｅ０３と中央存在領域２１の端縁Ｅ３１との距離ｄ３１は、互いに向かい合う前方圧搾溝６の端縁Ｅ０４と前方非存在領域３２の外側の端縁Ｅ４２との距離ｄ３２よりも短い（ｄ３１＜ｄ３２）。これらの端縁などは、長手方向Ｌについては長手方向中心線ＣＬ上で計測される。なお、後方圧搾溝６’及び後方非存在領域３２’についても、前方圧搾溝６及び前方非存在領域３２と同様の構成を有する。
上記構成を有する吸収性物品１は、前方圧搾溝６が、前方非存在領域３２内に位置し、中央存在領域２１及び外側存在領域２２と離間し、かつ長手方向Ｌにおいて中央存在領域２１の近くに位置する。そのため、前方圧搾溝６で長手方向Ｌに分割された前方非存在領域３２のうち、中央存在領域２１側の領域では空隙（Ｇ１１＋Ｇ０４）が小さく、その反対側の領域では空隙（Ｇ０５＋（長手方向Ｌにおける空隙Ｇ０５より外側の、表面シート２と第２の吸収層１２との間の空隙）が大きくなる。その結果、中央存在領域２１側の空隙が小さいため、前方圧搾溝６に排泄された排泄物は中央存在領域２１の吸収性ポリマー１４に優先的に吸収される。そのため、中央存在領域２１の吸収性ポリマー１４が著しく膨張し、中央存在領域２１側の壁面が厚み方向Ｔに急激に立ち上がり、急峻な壁面を形成する。それにより、中央存在領域２１の略中央部分の排尿点で排泄された排泄物を、急峻な壁面を介して前方圧搾溝６へ誘導し、前方圧搾溝６の底部から非肌側の第２の吸収層１２へ拡散させ吸収させ易くできる。一方、前方圧搾溝６を挟んで中央存在領域２１と反対側の領域では、前方圧搾溝６の壁面が厚み方向Ｔにあまり立ち上がらず、緩やかな壁面を形成している。そのため、前方圧搾溝６に蓄積される排泄物は、その緩やかな壁面側に拡がりつつ蓄積され、吸収性物品１の表面シート２と接する表面積を大きくでき、排泄物が拡散し難い前方圧搾溝６の外側の領域を、排泄物の吸収に有効に利用することができる。それゆえ、表面シート２を介して長手方向Ｌの第１の吸収層１１へ排泄物を吸収させ易くできる。このように前方圧搾溝６を伝って厚さ方向Ｔに第２の吸収層１２へ排泄物を拡散させ易くするだけでなく、長手方向Ｌに第１の吸収層１１へ排泄物を拡散させ易くでき、吸収性物品１全体として吸収速度を向上でき、かつ表面のさらっと感を維持し易くできる。なお、後方圧搾溝６’及び後方非存在領域３２’の場合についても、前方圧搾溝６及び前方非存在領域３２の場合と同様の作用効果を奏する。
【００４８】
本実施の形態における好ましい形態として、前方接合領域１１ｔ２は、平面視で、前方圧搾溝６の長手方向Ｌの両側に拡がっている。そして、前方圧搾溝６は、前方接合領域１１ｔ２における中央存在領域２１に寄りに位置している。すなわち、長手方向Ｌにおいて、前方接合領域１１ｔ２における内側の端縁Ｅ４１と前方圧搾溝６における内側の端縁Ｅ０３との距離ｄ４１は、前方接合領域１１ｔ２における外側の端縁Ｅ４２と前方圧搾溝６における外側の端縁Ｅ０４との距離ｄ４２よりも短い（ｄ４１＜ｄ４２）。上記構成を有する吸収性物品１は、長手方向Ｌにおいて、吸収性ポリマー１４を液透過性シート１１ａ、１１ａ’内に保持し、閉じ込めることができる。吸収性ポリマー１４が排泄物を吸収し、膨潤したとき、液透過性シート１１ａ、１１ａ’が吸収性ポリマー１４の長手方向Ｌへの膨潤を抑制して、前方圧搾溝６が閉塞することを抑制できる。よって吸収性ポリマー１４の前方接合領域１１ｔ２への侵入を抑制することができる。なお、後方圧搾溝６’及び後方接合領域１１ｔ２’の場合についても、前方圧搾溝６及び前方接合領域１１ｔ２の場合と同様の構成を有し、同様の作用効果を奏する。
【００４９】
本実施の形態における好ましい形態として、長手方向Ｌにおいて、前方接合領域１１ｔ２の内側の端縁Ｅ４１と、当該端縁Ｅ４１と対向する中央存在領域２１の端縁Ｅ３１との距離（ｄ３１−ｄ４１）は、前方接合領域１１ｔ２の内側の端縁Ｅ４１と前方圧搾溝６の内側の端縁Ｅ０３との距離ｄ４１よりも短い。上記構成を有する吸収性物品１は、第１の吸収層１１において、前方接合領域１１ｔ２の内側の端縁Ｅ４１と中央存在領域２１の端縁Ｅ３１との間の距離が短いので、中央存在領域２１の吸収性ポリマー１４が長手方向Ｌに膨潤する領域を小さくできる。その結果、吸収性ポリマー１４をより厚さ方向Ｔの上方へ膨潤させることができ、前方圧搾溝６の中央存在領域２１側の壁面をより急峻にすることができる。なお後方圧搾溝６’及び後方接合領域１１ｔ２’の場合についても、前方圧搾溝６及び前方接合領域１１ｔ２の場合と同様の構成を有し、同様の作用効果を奏する。
【００５０】
本実施の形態における好ましい形態として、厚さ方向Ｔにおいて、第２の吸収層１２の厚さをａとし、圧搾溝５における第２の吸収層１２への侵入深さをｂとしたとき、ｂは、（ａ／２）＜ｂ＜ａ、を満たす。図１０は、圧搾溝の深さと第２の吸収層の厚さとの関係を説明する断面図である。なお、第２の吸収層１２の厚さａ、及び、圧搾溝５における第２の吸収層１２への侵入深さｂは、平面視で圧搾溝５の高密度部５ｔ（底部）の幅方向Ｗの中心の位置で計測するものとし、本実施の形態では幅方向中心線ＣＷ上で計測する。上記構成を有する吸収性物品１は、図１０に示すように、圧搾溝５から第２の吸収層１２へ排泄物Ｓを引き込み易くでき、かつ、引き込んだ排泄物Ｓを第２の吸収層１２の非肌側だけでなく、第２の吸収層１２の面内方向へ拡散し易くすることができる。それにより、吸収性物品１全体として吸収速度を向上し、表面のさらっと感を維持し易くする効果をより確実に奏することが可能となる。このとき、ｂの値が小さ過ぎると（ｂ≦（ａ／２））、第２の吸収層１２内での圧搾溝５の壁面（側面）の面積が小さくなり、その壁面から第２の吸収層１２へ排泄物が拡散し難くなる。その結果、第２の吸収層へ排泄物を引き込む量や、引き込んだ排泄物が第２の吸収層の面内方向へ拡散する量が小さくなってしまう。更に、ｂの値が小さ過ぎると、吸収体４が全体として低強度になり、よじれ易くなってしまう。一方、ｂの値が大き過ぎると（ａ≦ｂ）、圧搾溝５が実質的に第２の吸収層を突き抜けてしまう。その結果、圧搾溝５の底部（高密度部５ｔ）から第２の吸収層１２へ排泄物を拡散できなくなったり、吸収性物品の外に漏れたりするおそれがある。
【００５１】
本実施の形態における好ましい形態として、第２の吸収層１２では、幅方向Ｗにおいて、平面視で、概ね、厚肉領域１２Ｔは中央存在領域２１に対応する領域であり、薄肉領域１２Ｒは外側存在領域２２に対応する領域であり、中肉領域１２Ｓは非存在領域３１に対応する領域である。したがって、第２の吸収層１２は、中高（例示：中央部の嵩が高い）な構造を有する。上記構成を有する吸収性物品１は、第１の吸収層１１における非肌側の面を基準とした中央存在領域２１の高さ位置（例示：中央存在領域２１の底面）が外側存在領域２２の高さ位置（例示：外側存在領域２２の底面）よりも高くなる。それにより、排泄物が圧搾溝５に排泄されたとき、中央存在領域２１が排泄物を多く吸収して圧搾溝５の中央存在領域２１側の壁面が立ち上がるという効果をより高めることができる（より早期且つ優先的に急峻に立ち上がらせることができる）。それに加えて、外側存在領域２２が排泄物をあまり吸収せず、圧搾溝５の外側存在領域２２側の壁面が緩やかな傾斜になるという効果をより高めることができる。
【００５２】
本実施の形態における好ましい形態として、一対の圧搾溝５、５、前方圧搾溝６及び後方圧搾溝６’で囲まれた領域では、その周囲の領域と比較して、表面シート２の繊維密度が高い。そのため、表面シート２において、中央存在領域２１に対応する領域の繊維密度は、一対の外側存在領域２２の各々に対応する領域の繊維密度よりも高い。上記構成を有する吸収性物品１は、表面シート２において、繊維密度の高い中央存在領域２１に対応する領域に、排泄物を優先的に引き込ませ易くできる。それにより、中央存在領域２１の吸収性ポリマー１４を、外側存在領域２２の吸収性ポリマー１５よりも優先的に膨張させることができ、圧搾溝５の中央存在領域２１側の壁面を急激に立ち上がらせることができる。一方、繊維密度の低い外側存在領域２２に対応する領域に、排泄物を優先的に引き込ませないようにできる。それにより、外側存在領域２２の吸収性ポリマー１５の膨らみを、中央存在領域２１の吸収性ポリマー１４よりも抑制することができ、圧搾溝５の外側存在領域２２側の壁面を緩やかな傾斜にできる。
【００５３】
本実施の形態における好ましい形態として、圧搾溝５は、厚さ方向Ｔの深さが深い高圧搾部４１と、厚さ方向Ｔの深さが浅い低圧搾部４２と、を含み、高圧搾部４１と前記低圧搾部４２とが交互に並んで形成される。図１１は、圧搾溝５（、前方圧搾溝６、後方圧搾溝６’）の構成を模式的に示す平面図である。上記構成を有する吸収性物品１では、高圧搾部４１により第２の吸収層１２の厚さ方向Ｔの深い領域に排泄物を拡散させ、低圧搾部４２により第２の吸収層１２の厚さ方向Ｔの浅い領域に排泄物を拡散させることができる。すなわち第２の吸収層１２の異なる深さの領域にそれぞれ排泄物を拡散できるので、第２の吸収層１２を厚さ方向Ｔに効率的に使用できる。それにより圧搾溝５（、前方圧搾溝６、後方圧搾溝６’）内での排泄物の流通を良くする、すなわち圧搾溝５（、前方圧搾溝６、後方圧搾溝６’）を介した排泄物の吸収速度を向上できる。よって吸収性物品全体として吸収速度をより向上でき、かつ表面のさらっと感をより維持し易くできる。
【００５４】
＜端縁間の距離＞
各端縁間の距離は以下の方法で測定した。（１）吸収性物品を、測定対象領域を中心に２０×４０ｍｍの大きさに切り出して試料とする。２）Ｘ線透視装置ＦＬＥＸ−Ｍ８６３を用い、試料の３６０度スキャンを行う。具体的には試料を０．２度回転させるごとにＸ線透視画像を撮影して、３６０度分、すなわち１８００枚のＸ線透視画像を取得し、取得した１８００枚のＸ線透視画像をつなぎ合わせて３Ｄ画像を作成する。３）３Ｄ画像から測定対象の端縁を含む断面図を抽出し、抽出された断面図から端縁間の距離を測定した。
＜圧搾溝の深さ＞
圧搾溝の深さは以下の方法で測定した。（１）吸収性物品から、圧搾溝を含む所定の大きさの試料を切り出す。（２）三次元測定器（（株）キーエンス社製  高精度形状測定システム（高精度ステージ：ＫＳ−１１００を含む））と、高速・高精度ＣＣＤレーザー変位計（コントローラ：ＬＫ−Ｇ３０００Ｖセット、センサヘッド：ＬＫ−Ｇ３０を含む）とを用い、試料の断面形状を測定する。（３）測定した断面形状に画像データ処理を行い、スムージング処理が施された断面形状の輪郭線を得る。（４）得られた輪郭線に基づいて圧搾溝の断面形状の輪郭線を特定し、圧搾溝の断面形状の輪郭線から得られる各部位の寸法に基づいて圧搾溝の深さを求める。
＜シートの坪量＞
各シート（吸収層を含む）の坪量は以下の方法で測定した。（１）シートから５ｃｍ×５ｃｍの大きさの部分を切り出して試料とする。（２）試料について、１００℃以上の空気雰囲気で乾燥処理を行う。（３）試料の質量を測定する。（４）質量の測定値を試料の面積で割り算して試料の坪量を算出する。（５）１０個の試料の坪量を平均した値をシートの坪量とする。
＜シートの厚さ＞
各シート（吸収層を含む）の厚さは以下の方法で測定した。（１）シートから５ｃｍ×５ｃｍの大きさの部分を切り出して試料とする。（２）試料について、１００℃以上の空気雰囲気で乾燥処理を行う。（３）１５ｃｍ２の測定子を備えた厚さ計（（株）大栄化学精器製作所製  型式ＦＳ−６０ＤＳ）を用い、３ｇ／ｃｍ２の測定荷重の条件でシートの厚さを測定する。（４）１個の試料で３か所の厚さを測定し、３か所の厚さの平均値をシートの厚さとする。なおシートの厚さはＸ線透視画像による３Ｄ画像から求めてもよい。
＜シートの繊維密度＞
各シート（吸収層を含む）の繊維密度は以下の方法で測定した。（１）上記方法でシートの坪量及びシートの厚みを求める。（２）シートの秤量を、シートの厚みで割り算してシートの繊維密度を算出する。
【００５５】
（実施例）
実施例の試料として本実施の形態の吸収性物品１を準備した。比較例の試料としては、幅方向において、圧搾溝の位置が非存在領域の中央にあり、中央存在領域にも外側存在領域にも寄っておらず、両者に対して概ね等しい距離である吸収性物品（現行品）を準備した。ただし、実施例１及び比較例１の試料は、第１の吸収層１１に相当する吸収層が第１の吸収層１１の坪量に対し１００％の坪量の吸収性ポリマーを含み、第２の吸収層１２に相当する吸収層が第２の吸収層１２の坪量に対し３０〜７０％の坪量の吸収性ポリマーを含む製品である。一方、実施例２及び比較例２の試料は、第１の吸収層１１に相当する吸収層が第１の吸収層１１の坪量に対し１００％の坪量の吸収性ポリマーを含み、第２の吸収層１２に相当する吸収層が吸水性繊維のパルプから構成されており、吸収性ポリマーを含まない製品である。そして、実施例の試料及び比較例の試料の吸収速度（生理食塩水を吸収するのにかかる吸収時間）を測定した。図１２は測定方法を説明する模式図である。
【００５６】
吸収速度（吸収時間）の測定方法は以下の方法を用いた。（１）略矩形の平板１０２の中央に内径３０ｍｍの円筒１０１が垂直に結合された円筒付き平板治具を用意する。平板１０２と円筒１０１との結合箇所には内径３０ｍｍの開口が形成されている。（２）基台１０３の上に試料１０４（吸収性物品）を載置し、円筒付き平板治具の平板１０２をその試料１０４の上に載置する。（３）基台１０３と平板１０２との間の試料１０４の吸収体に所定の圧力が印加されるように、平板１０２に所定の荷重Ｐを印加する。所定の圧力は、試料１０４の着用者が立位・中腰である状態を想定する場合、試料１０４の吸収体に対して０．００５〜０．０１５ｋｇ／ｃｍ２、好ましくは０．００７〜０．０１２ｋｇ／ｃｍ２の圧力が印加されるように、平板１０２に荷重Ｐを印加する。また、試料１０４の着用者が座位である状態を想定する場合、試料１０４の吸収体に対して０．０３〜０．２ｋｇ／ｃｍ２、好ましくは０．０５〜０．１ｋｇ／ｃｍ２の圧力が印加されるように、平板１０２に荷重Ｐを印加する。（４）円筒１０１の上方から０．９％の濃度の生理食塩水Ｑを試料１０４へ滴下する（着用者の排尿を模している）。１０ｇ／秒の滴下速度で、試料１０４の吸収体の吸収容量に対して３５％〜５０％、好ましくは４０〜４５％の量を１回の滴下量とする。そのとき、試料１０４の表面の生理食塩水Ｑが、試料１０４に吸収されて、試料１０４の表面から無くなるまでの吸収時間（秒）を測定する。（５）５分後にもう一度、上記（４）の生理食塩水Ｑの滴下及び吸収時間の測定を行う。なお、吸収速度（単位時間当たりの生理食塩水の吸収量）は、滴下量／吸収時間から算出できる。吸収速度の比較は、同一滴下量のときの吸収時間の比較により吸収速度の比較としてもよいし、滴下量／吸収時間から算出された吸収速度を直接比較してもよい。ここでは、同一滴下量のときの吸収時間の比較により吸収速度の比較とする。その場合、吸収時間が小さいほど吸収速度は大きいといえる。
【００５７】
吸収時間の測定結果は以下のとおりである。
【表１】
2018075136.tif 000003
【００５８】
１回目の生理食塩水Ｑの滴下時（１回目の排尿時に相当）では、第１の吸収層１１における吸収性ポリマーが膨張した。その結果、実施例１、２の試料では、第１の吸収層１１の中央存在領域２１が大きく膨らみ、外側存在領域２２はあまり膨らまなかった。それにより、圧搾溝５の中央存在領域２１側の壁面が裏面シート３に対して成す角と、圧搾溝５の外側存在領域２２側の壁面が裏面シート３に対して成す角とが相違した。すなわち、中央存在領域２１側の壁面が成す角は大きくなり、外側存在領域２２側の壁面が成す角はあまり大きくならなかった。一方、比較例１、２の試料では、中央存在領域側の壁面が成す角と、外側存在領域側の壁面が成す角とは概ね同じであった。これにより、実施例１、２の試料では、それぞれ比較例１、２の試料と比較して、滴下された生理食塩水Ｑは速やかに圧搾溝５へ流れ易くなり、表１に示すように１回目の滴下時に吸収にかかる時間が短かった（吸収速度が速かった）。特に吸収容量の大きい実施例１の試料は、比較例１の試料と比較して、立位・中腰の条件では１．５倍以上、座位の条件では２倍以上、吸収速度が向上した。更に、２回目の生理食塩水Ｑの滴下時（２回目の排尿時に相当）では、第１の吸収層１１における吸収性ポリマーが更に膨張してゲルブロッキングが生じ始める。そのため、実施例１、２の試料では、中央存在領域２１側の壁面が成す角はより大きくなり、外側存在領域２２側の壁面が成す角とより大きく相違した。一方、比較例１、２の試料では、中央存在領域側の壁面が成す角と、外側存在領域側の壁面が成す角との相違は、それぞれ実施例１、２の試料よりも小さかった。これにより、実施例１、２の試料は、それぞれ比較例１、２の試料と比較して、立位・中腰の条件及び座位の条件の何れの場合にも２倍以上、吸収速度が向上した。このように、第２の吸収層１２に相当する吸収層が吸収性ポリマーを含むか否かに関わらず、実施例の試料では、比較例（現行品）の試料と比較して明らかに吸収速度が大きく改善されており、特に２回目の排尿時では２倍以上の吸収速度を有していることが分った。すなわち、本吸収性物品１は現行品と比較して、２回目の排尿時には、２倍以上の吸収速度を有していることが分った。このような高い吸収速度により、実施例の試料では、表面のさらっと感が維持され易くなることが分った。
【００５９】
本発明の吸収性物品は、上述した各実施形態に制限されることなく、本発明の目的、趣旨を逸脱しない範囲内において、適宜組合せや変更等が可能である。
【符号の説明】
【００６０】
１    吸収性物品
２    表面シート
３    裏面シート
４    吸収体
５    圧搾溝
１１    第１の吸収層
１２    第２の吸収層
２１    中央存在領域
２２    外側存在領域
３１    非存在領域
【図１】
2018075136.tif 000004
【図２】
2018075136.tif 000005
【図３】
2018075136.tif 000006
【図４】
2018075136.tif 000007
【図５】
2018075136.tif 000008
【図６】
2018075136.tif 000009
【図７】
2018075136.tif 000010
【図８】
2018075136.tif 000011
【図９】
2018075136.tif 000012
【図１０】
2018075136.tif 000013
【図１１】
2018075136.tif 000014
【図１２】
2018075136.tif 000015
【手続補正書】
【提出日】平成29年6月27日(2017.6.27)
【手続補正１】
【補正対象書類名】特許請求の範囲
【補正対象項目名】全文
【補正方法】変更
【補正の内容】
【特許請求の範囲】
【請求項１】
長手方向、幅方向及び厚さ方向を有し、表面シートと、前記表面シートの非肌側に位置する吸収体と、を備え、前記吸収体は、第１の吸収層と、前記第１の吸収層の非肌側に積層された第２の吸収層と、を含み、前記長手方向に延設され前記幅方向に間隔を空けて並んだ、前記表面シートと前記第１の吸収層及び第２の吸収層とが圧搾された一対の圧搾溝を備える、吸収性物品であって、
前記第１の吸収層は、
前記幅方向の中央に位置し、吸収性ポリマーが存在する中央存在領域と、
前記中央存在領域の前記幅方向の両外側に位置し、吸収性ポリマーが存在する一対の外側存在領域と、
前記中央存在領域と前記一対の外側存在領域との間に位置し、吸収性ポリマーが存在しない一対の非存在領域と、を含み、
前記中央存在領域と前記非存在領域との境界は、前記非存在領域と接する前記中央存在領域の吸収性ポリマーの坪量が、前記中央存在領域の吸収性ポリマーの坪量の最高値の１／３となる箇所であり、前記外側存在領域と前記非存在領域との境界は、前記非存在領域と接する前記外側存在領域の吸収性ポリマーの坪量が、前記外側存在領域の吸収性ポリマーの坪量の最高値の１／３となる箇所であり、
前記一対の圧搾溝の一方及び他方は、前記幅方向において、それぞれ前記一対の非存在領域の一方及び他方の内に位置し、前記中央存在領域及び前記一対の外側存在領域と離間しており、
前記幅方向において、互いに向かい合う前記圧搾溝の端縁と前記中央存在領域の端縁との距離は、前記圧搾溝のうちの前記幅方向に前記中央存在領域と隣り合う部分が前記長手方向において存在する位置の少なくとも一部分では、互いに向かい合う前記圧搾溝の端縁と前記外側存在領域の端縁との距離よりも短く、残りの部分では、等しい、
吸収性物品。
【請求項２】
前記第１の吸収層は、
前記第１の吸収層に含まれる吸収性ポリマーを包む液透過性シートを備え、
前記非存在領域において、前記液透過性シートの肌側の面と非肌側の面とが互いに接合された接合領域を有し、
前記接合領域は、平面視で、前記圧搾溝の前記幅方向の両側に拡がり、
前記幅方向において、前記接合領域における内側の端縁と前記圧搾溝における内側の端縁との距離は、前記圧搾溝のうちの前記幅方向に前記中央存在領域と隣り合う部分が前記長手方向において存在する位置の少なくとも一部分では、前記接合領域における外側の端縁と前記圧搾溝における外側の端縁との距離よりも短く、残りの部分では、等しい、
請求項１に記載の吸収性物品。
【請求項３】
前記第１の吸収層は、前記中央存在領域における前記長手方向の前方及び後方の外側に位置し、吸収性ポリマーが存在しない前方非存在領域及び後方非存在領域を含み、
前記幅方向に延設され前記長手方向に間隔を空けて並んだ、前記表面シートと前記第１の吸収層及び第２の吸収層とが圧搾された前方圧搾溝及び後方圧搾溝を備え、
前記前方非存在領域及び前記後方存在領域と前記中央存在領域との境界は、前記前方非存在領域及び前記後方存在領域と接する前記中央存在領域の吸収性ポリマーの坪量が、前記中央存在領域の吸収性ポリマーの坪量の最高値の１／３となる箇所であり、
前記前方圧搾溝及び前記後方圧搾溝は、それぞれ前記前方非存在領域及び前記後方非存在領域の内に位置し、前記中央存在領域及び前記一対の外側存在領域と離間しており、
前記長手方向において、互いに向かい合う前記前方圧搾溝の端縁と前記中央存在領域の端縁との距離は、前記前方圧搾溝のうちの前記長手方向に前記中央存在領域と隣り合う部分が前記幅方向において存在する位置の少なくとも一部分では、互いに向かい合う前記前方圧搾溝の端縁と前記前方非存在領域の外側の端縁との距離よりも短く、残りの部分では、等しく、
前記長手方向において、互いに向かい合う前記後方圧搾溝の端縁と前記中央存在領域の端縁との距離は、前記後方圧搾溝のうちの前記長手方向に前記中央存在領域と隣り合う部分が前記幅方向において存在する位置の少なくとも一部分では、互いに向かい合う前記後方圧搾溝の端縁と前記後方非存在領域の外側の端縁との距離よりも短く、残りの部分では、等しい、
請求項１又は２に記載の吸収性物品。
【請求項４】
前記第１の吸収層は、
前記第１の吸収層に含まれる吸収性ポリマーを包む液透過性シートを備え、
前記前方非存在領域及び前記後方非存在領域において、それぞれ前記液透過性シートの肌側の面と非肌側の面とが互いに接合された前方接合領域及び後方接合領域を有し、
前記前方接合領域及び前記後方接合領域は、平面視で、前記前方圧搾溝及び前記後方圧搾溝の前記長手方向の両側に拡がり、
前記長手方向において、前記前方接合領域における内側の端縁と前記前方圧搾溝における内側の端縁との距離は、前記前方圧搾溝のうちの前記長手方向に前記中央存在領域と隣り合う部分が前記幅方向において存在する位置の少なくとも一部分では、前記前方接合領域における外側の端縁と前記前方圧搾溝における外側の端縁との距離よりも短く、残りの部分では、等しく、
前記長手方向において、前記後方接合領域における内側の端縁と前記後方圧搾溝における内側の端縁との距離は、前記後方圧搾溝のうちの前記長手方向に前記中央存在領域と隣り合う部分が前記幅方向において存在する位置の少なくとも一部分では、前記後方接合領域における外側の端縁と前記後方圧搾溝における外側の端縁との距離よりも短く、残りの部分では、等しい、
請求項３に記載の吸収性物品。
【請求項５】
前記長手方向において、前記前方接合領域における内側の端縁と、当該端縁と対向する前記中央存在領域の端縁との距離は、前記前方圧搾溝のうちの前記長手方向に前記中央存在領域と隣り合う部分が前記幅方向において存在する位置の少なくとも一部分で、前記前方接合領域における内側の端縁と前記前方圧搾溝における内側の端縁との距離よりも短く、残りの部分では、等しく、
前記長手方向において、前記後方接合領域における内側の端縁と、当該端縁と対向する前記中央存在領域の端縁との距離は、前記後方圧搾溝のうちの前記長手方向に前記中央存在領域と隣り合う部分が前記幅方向において存在する位置の少なくとも一部分で、前記後方接合領域における内側の端縁と前記後方圧搾溝における内側の端縁との距離よりも短く、残りの部分では、等しい、
請求項４に記載の吸収性物品。
【請求項６】
前記表面シートにおいて、前記中央存在領域に対応する領域の繊維密度は、前記一対の外側存在領域の各々に対応する領域の繊維密度よりも高い、
請求項１乃至５のいずれか一項に記載の吸収性物品。
【請求項７】
前記厚さ方向において、前記第２の吸収層の厚さをａとし、前記圧搾溝における前記第２の吸収層への侵入深さをｂとしたとき、前記ｂは、（ａ／２）＜ｂ＜ａ、を満たす、
請求項１乃至６のいずれか一項に記載の吸収性物品。
【請求項８】
前記第２の吸収層において、前記中央存在領域に対応する領域の厚みは、前記外側存在領域に対応する領域の厚みよりも厚い、
請求項１乃至７のいずれか一項に記載の吸収性物品。
【請求項９】
前記圧搾溝は、前記厚さ方向の深さが深い高圧搾部と、前記厚さ方向の深さが浅い低圧搾部と、を含み、前記高圧搾部と前記低圧搾部とが交互に並んで形成されている、
請求項１乃至８のいずれか一項に記載の吸収性物品。